(57)【要約】【課題】放送信号のＣＭ部分をより確実に検出することができるようにする。【解決手段】記録再生装置１の外部から入力信号として、ＣＭ部分を含んだ放送番組の信号が入力される。その入力信号の放送番組に含まれるＣＭ部分を削除してドライブ６に記録する場合、情報同一性検出部５は、ドライブ６から供給されるＣＭの映像および音声情報と入力信号とが一致するか判別し、ＣＭ部分を検出して、その検出結果をシステム制御部４に出力する。システム制御部４は、情報同一性検出部５から供給される検出結果に基づいて、入力信号からＣＭ部分を削除し、ドライブ６に記録する。本発明は、例えば、ハードディスクなどの記録媒体を有する記録再生装置に適用できる。【選択図】      図１
2004328306.tif 000002
【特許請求の範囲】
【請求項１】
映像または音声情報と、所定の記録媒体に記録されているＣＭの映像または音声情報との同一性を検出する情報同一性検出手段と、
前記情報同一性検出手段による前記同一性の検出結果に基づいて、前記映像または音声情報がＣＭであるか否かを判定する判定手段とを備え、
前記情報同一性検出手段は、
前記映像または音声情報が、前記ＣＭの映像または音声情報の先頭部分の一部と同一であるかどうかを判別する第１の判別手段と、
前記映像または音声情報が、前記ＣＭの映像または音声情報の先頭部分の前記一部以外の残りの部分と同一であるかどうかを判別する第２の判別手段と、
前記映像または音声情報が、前記ＣＭの映像または音声情報の前記先頭部分に続く後続部分と同一であるかどうかを判別する第３の判別手段とを有することを特徴とする情報処理装置。
【請求項２】
前記映像または音声情報は、放送されてくる情報であることを特徴とする請求項１に記載の情報処理装置。
【請求項３】
前記映像または音声情報は、再生された情報であることを特徴とする請求項１に記載の情報処理装置。
【請求項４】
前記映像または音声情報から、ＣＭを削除する削除手段をさらに備えることを特徴とする請求項１に記載の情報処理装置。
【請求項５】
前記映像または音声情報を記録する記録手段をさらに備え、前記削除手段は、前記記録手段による前記映像または音声情報の記録時に、前記映像または音声情報からＣＭを削除することを特徴とする請求項４に記載の情報処理装置。
【請求項６】
前記映像または音声情報を再生する再生手段をさらに備え、前記削除手段は、前記再生手段による前記映像または音声情報の再生時に、前記映像または音声情報からＣＭを削除することを特徴とする請求項４に記載の情報処理装置。
【請求項７】
前記第２の判別手段は、前記第１の判別手段により、前記映像または音声情報が、前記ＣＭの映像または音声情報の先頭部分の一部と同一であると判定された場合に、前記映像または音声情報が、前記ＣＭの映像または音声情報の先頭部分の前記一部以外の残りの部分と同一であるかどうかを判別し、前記第３の判別手段は、前記第２の判別手段により、前記映像または音声情報が、前記ＣＭの映像または音声情報の先頭部分の前記一部以外の残りの部分と同一であると判定された場合に、前記映像または音声情報が、前記ＣＭの映像または音声情報の前記先頭部分に続く後続部分と同一であるかどうかを判別することを特徴とする請求項１に記載の情報処理装置。
【請求項８】
前記記録媒体は、２以上の記録媒体で構成され、
前記２以上の記録媒体のうちの１の記録媒体には、前記映像または音声情報のうちのＣＭの映像または音声情報が記録され、他の１の記録媒体には、ＣＭ以外の映像または音声情報が記録されることを特徴とする請求項１に記載の情報処理装置。
【請求項９】
映像または音声情報と、所定の記録媒体に記録されているＣＭの映像または音声情報との同一性を検出する情報同一性検出ステップと、
前記情報同一性検出ステップの処理による前記同一性の検出結果に基づいて、前記映像または音声情報がＣＭであるか否かを判定する判定ステップとを含み、
前記情報同一性検出ステップは、
前記映像または音声情報が、前記ＣＭの映像または音声情報の先頭部分の一部と同一であるかどうかを判別する第１の判別ステップと、
前記映像または音声情報が、前記ＣＭの映像または音声情報の先頭部分の前記一部以外の残りの部分と同一であるかどうかを判別する第２の判別ステップと、前記映像または音声情報が、前記ＣＭの映像または音声情報の前記先頭部分に続く後続部分と同一であるかどうかを判別する第３の判別ステップと
を有することを特徴とする情報処理方法。
【請求項１０】
映像または音声情報と、所定の記録媒体に記録されているＣＭの映像または音声情報との同一性を検出する情報同一性検出ステップと、
前記情報同一性検出ステップの処理による前記同一性の検出結果に基づいて、前記映像または音声情報がＣＭであるか否かを判定する判定ステップとを含み、
前記情報同一性検出ステップは、
前記映像または音声情報が、前記ＣＭの映像または音声情報の先頭部分の一部と同一であるかどうかを判別する第１の判別ステップと、
前記映像または音声情報が、前記ＣＭの映像または音声情報の先頭部分の前記一部以外の残りの部分と同一であるかどうかを判別する第２の判別ステップと、前記映像または音声情報が、前記ＣＭの映像または音声情報の前記先頭部分に続く後続部分と同一であるかどうかを判別する第３の判別ステップと
を有することを特徴とするコンピュータが読み取り可能なプログラムが記録されている記録媒体。
【請求項１１】
映像または音声情報と、所定の記録媒体に記録されているＣＭの映像または音声情報との同一性を検出する情報同一性検出ステップと、
前記情報同一性検出ステップの処理による前記同一性の検出結果に基づいて、前記映像または音声情報がＣＭであるか否かを判定する判定ステップとを含み、
前記情報同一性検出ステップは、
前記映像または音声情報が、前記ＣＭの映像または音声情報の先頭部分の一部と同一であるかどうかを判別する第１の判別ステップと、
前記映像または音声情報が、前記ＣＭの映像または音声情報の先頭部分の前記一部以外の残りの部分と同一であるかどうかを判別する第２の判別ステップと、前記映像または音声情報が、前記ＣＭの映像または音声情報の前記先頭部分に続く後続部分と同一であるかどうかを判別する第３の判別ステップとを有する処理をコンピュータに実行させることを特徴とするプログラム。
【発明の詳細な説明】
【０００１】
【発明の属する技術分野】
本発明は、情報処理装置および方法、記録媒体、並びにプログラムに関し、特に、放送信号のコマーシャルメッセージ部分をより確実に検出する情報処理装置および方法、記録媒体、並びにプログラムに関する。
【０００２】
【従来の技術】
近年、ハードディスクや書換え可能な光ディスク、あるいは不揮発性半導体メモリなどのランダムアクセスが可能な記録媒体が大容量化するとともに、動画情報、静止画情報、または音声情報などのディジタル圧縮技術も向上している。そのようなランダムアクセスが可能な記録媒体の大容量化とディジタル圧縮技術の向上に伴い、これらの記録媒体に放送信号などの映像情報または音声情報（以下、ＡＶ情報と称する）を記録する情報処理装置が商品化されている。
【０００３】
しかしながら、上述の記録媒体は、以前と比較すれば大容量化されているものの、視聴者にとってあらゆる情報を長期保存できる程の容量ではない。
【０００４】
そこで、視聴者にとって不要なＡＶ情報は出来るだけ削除し、次の新規のＡＶ情報を記録するための空き領域を記録媒体に、より多く確保しておくようにするのが望ましい。そのためには、視聴者が必要であるＡＶ情報および不要であるＡＶ情報を選別し、必要であるＡＶ情報のみを記録（記憶）する必要がある。
【０００５】
一般的に、視聴者が不要と思われるＡＶ情報として、放送信号（放送番組）中のコマーシャルメッセージ部分（以下、ＣＭ部分と称する）がある。放送信号を上述の記録媒体に記録する場合において、ＣＭ部分をスキップ（削除）し、放送番組の本編（以下、主番組と称する）のみを記録媒体に記録するようにすれば、記録媒体の空き領域をより多く確保することができる。
【０００６】
このＣＭ部分をスキップする技術については、これまでにもいろいろな方法が提案されている。
【０００７】
例えば、受信したＡＶ情報の音声レベルおよび映像レベルの経時変化を監視し、その経時変化の特徴に基づいてＣＭ部分を認識し、自動的に録画または再生をスキップする技術が提案されている（例えば、特許文献１参照）。
【０００８】
また、例えば、過去に放送（番組）を視聴した際に視聴者がその映像情報を視聴して行った早送りや再生等の操作に対応する再生制御情報を、番組に関連付けて保存しておき、次回に同一番組を録画または再生する際には、その保存しておいた再生制御情報に基づいてＣＭ部分を認識し、自動的に録画または再生をスキップする技術が提案されている（特許文献２参照）。
【０００９】
【特許文献１】
特開２０００−７８５２８号公報
【特許文献２】
特開２００２−８３５３号公報
【００１０】
【発明が解決しようとする課題】
しかしながら、特許文献１に示される方法では、ＡＶ情報の音声レベルおよび映像レベルの経時変化からＣＭ部分と思われる箇所を検出するため、ＣＭ部分ではない部分がＣＭ部分であると誤認される可能性や、ＣＭ部分である部分がＣＭ部分ではない部分であると誤認される可能性がある。
【００１１】
また、特許文献２に示される方法では、過去に同一番組を視聴した際にユーザが行った操作に対応する再生制御情報に基づいてＣＭ部分を検出するため、ユーザが新規番組を視聴した際にはＣＭ部分を認識することができないといった問題や、視聴者が過去に番組を視聴した際に映像情報に対して行った早送りや再生等の操作が正しく行われなかった場合には、次回に同一番組を録画または再生する際においても、正確に番組のＣＭ部分をスキップすることができないなどの問題がある。
【００１２】
本発明は、このような状況に鑑みてなされたものであり、より確実にＣＭ部分を検出（認識）することができるようにするものである。
【００１３】
【課題を解決するための手段】
本発明の情報処理装置は、映像または音声情報と、所定の記録媒体に記録されているＣＭの映像または音声情報との同一性を検出する情報同一性検出手段と、情報同一性検出手段による同一性の検出結果に基づいて、映像または音声情報がＣＭであるか否かを判定する判定手段とを備え、情報同一性検出手段は、映像または音声情報が、ＣＭの映像または音声情報の先頭部分の一部と同一であるかどうかを判別する第１の判別手段と、映像または音声情報が、ＣＭの映像または音声情報の先頭部分の一部以外の残りの部分と同一であるかどうかを判別する第２の判別手段と、映像または音声情報が、ＣＭの映像または音声情報の先頭部分に続く後続部分と同一であるかどうかを判別する第３の判別手段とを有することを特徴とする。
【００１４】
映像または音声情報は、放送されてくる情報であるようにさせることができる。
【００１５】
映像または音声情報は、再生された情報であるようにさせることができる。
【００１６】
映像または音声情報から、ＣＭを削除する削除手段をさらに設けることができる。
【００１７】
映像または音声情報を記録する記録手段をさらに設け、削除手段には、記録手段による映像または音声情報の記録時に、映像または音声情報からＣＭを削除させるようにすることができる。
【００１８】
映像または音声情報を再生する再生手段をさらに設け、削除手段には、再生手段による映像または音声情報の再生時に、映像または音声情報からＣＭを削除させるようにすることができる。
【００１９】
第２の判別手段は、第１の判別手段により、映像または音声情報が、ＣＭの映像または音声情報の先頭部分の一部と同一であると判定された場合に、映像または音声情報が、ＣＭの映像または音声情報の先頭部分の一部以外の残りの部分と同一であるかどうかを判別し、第３の判別手段は、第２の判別手段により、映像または音声情報が、ＣＭの映像または音声情報の先頭部分の一部以外の残りの部分と同一であると判定された場合に、映像または音声情報が、ＣＭの映像または音声情報の先頭部分に続く後続部分と同一であるかどうかを判別するようにさせることができる。
【００２０】
記録媒体は、２以上の記録媒体で構成され、２以上の記録媒体のうちの１の記録媒体には、映像または音声情報のうちのＣＭの映像または音声情報が記録され、他の１の記録媒体には、ＣＭ以外の映像または音声情報が記録されるようにすることができる。
【００２１】
本発明の情報処理方法は、映像または音声情報と、所定の記録媒体に記録されているＣＭの映像または音声情報との同一性を検出する情報同一性検出ステップと、情報同一性検出ステップの処理による同一性の検出結果に基づいて、映像または音声情報がＣＭであるか否かを判定する判定ステップとを含み、情報同一性検出ステップは、映像または音声情報が、ＣＭの映像または音声情報の先頭部分の一部と同一であるかどうかを判別する第１の判別ステップと、映像または音声情報が、ＣＭの映像または音声情報の先頭部分の一部以外の残りの部分と同一であるかどうかを判別する第２の判別ステップと、映像または音声情報が、ＣＭの映像または音声情報の先頭部分に続く後続部分と同一であるかどうかを判別する第３の判別ステップとを有することを特徴とする。
【００２２】
本発明の記録媒体のプログラムは、映像または音声情報と、所定の記録媒体に記録されているＣＭの映像または音声情報との同一性を検出する情報同一性検出ステップと、情報同一性検出ステップの処理による同一性の検出結果に基づいて、映像または音声情報がＣＭであるか否かを判定する判定ステップとを含み、情報同一性検出ステップは、映像または音声情報が、ＣＭの映像または音声情報の先頭部分の一部と同一であるかどうかを判別する第１の判別ステップと、映像または音声情報が、ＣＭの映像または音声情報の先頭部分の一部以外の残りの部分と同一であるかどうかを判別する第２の判別ステップと、映像または音声情報が、ＣＭの映像または音声情報の先頭部分に続く後続部分と同一であるかどうかを判別する第３の判別ステップとを有することを特徴とする。
【００２３】
本発明のプログラムは、映像または音声情報と、所定の記録媒体に記録されているＣＭの映像または音声情報との同一性を検出する情報同一性検出ステップと、情報同一性検出ステップの処理による同一性の検出結果に基づいて、映像または音声情報がＣＭであるか否かを判定する判定ステップとを含み、情報同一性検出ステップは、映像または音声情報が、ＣＭの映像または音声情報の先頭部分の一部と同一であるかどうかを判別する第１の判別ステップと、映像または音声情報が、ＣＭの映像または音声情報の先頭部分の一部以外の残りの部分と同一であるかどうかを判別する第２の判別ステップと、映像または音声情報が、ＣＭの映像または音声情報の先頭部分に続く後続部分と同一であるかどうかを判別する第３の判別ステップとを有する処理をコンピュータに実行させることを特徴とする。
【００２４】
本発明においては、映像または音声情報と、所定の記録媒体に記録されているＣＭの映像または音声情報との同一性が検出され、情報同一性検出手段による同一性の検出結果に基づいて、映像または音声情報がＣＭであるか否かが判定される。また、映像または音声情報が、ＣＭの映像または音声情報の先頭部分の一部と同一であるかどうかが判別され、映像または音声情報が、ＣＭの映像または音声情報の先頭部分の一部以外の残りの部分と同一であるかどうかが判別され、映像または音声情報が、ＣＭの映像または音声情報の先頭部分に続く後続部分と同一であるかどうかが判別される。
【００２５】
情報処理装置は、独立した装置であっても良いし、１つの装置の情報処理処理を行うブロックであっても良い。
【００２６】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２８】
請求項１に記載の情報処理装置は、映像または音声情報（例えば、図１の入力信号）と、所定の記録媒体（例えば、図１のドライブ６のハードディスク）に記録されているＣＭの映像または音声情報（例えば、図２のＣＭ情報ディレクトリ２３内の動画像ファイル）との同一性を検出する情報同一性検出手段（例えば、図１の情報同一性検出部５）と、前記情報同一性検出手段による前記同一性の検出結果に基づいて、前記映像または音声情報がＣＭであるか否かを判定する判定手段（例えば、図１のシステム制御部４）とを備え、前記情報同一性検出手段は、前記映像または音声情報が、前記ＣＭの映像または音声情報の先頭部分の一部と同一であるかどうかを判別する第１の判別手段（例えば、図５の一致ＣＭ判別部６１）と、前記映像または音声情報が、前記ＣＭの映像または音声情報の先頭部分の前記一部以外の残りの部分と同一であるかどうかを判別する第２の判別手段（例えば、図５の先頭部分同一性判別部６２）と、前記映像または音声情報が、前記ＣＭの映像または音声情報の前記先頭部分に続く後続部分と同一であるかどうかを判別する第３の判別手段（例えば、図５の後続部分同一性判別部６３）とを有することを特徴とする。
【００２９】
請求項２に記載の情報処理装置は、前記映像または音声情報は、放送されてくる情報（例えば、アンテナなどで電波を受信した信号）であることを特徴とする。
【００３０】
請求項３に記載の情報処理装置は、前記映像または音声情報は、再生された情報（例えば、外部から入力された信号）であることを特徴とする。
【００３１】
請求項４に記載の情報処理装置は、前記映像または音声情報から、ＣＭを削除する削除手段（例えば、図１のシステム制御部４）をさらに備えることを特徴とする。
【００３２】
請求項５に記載の情報処理装置は、前記映像または音声情報を記録する記録手段（例えば、図１のシステム制御部４）をさらに備え、前記削除手段は、前記記録手段による前記映像または音声情報の記録時に、前記映像または音声情報からＣＭを削除することを特徴とする。
【００３３】
請求項６に記載の情報処理装置は、前記映像または音声情報を再生する再生手段（例えば、図１のシステム制御部４）をさらに備え、前記削除手段は、前記再生手段による前記映像または音声情報の再生時に、前記映像または音声情報からＣＭを削除することを特徴とする。
【００３４】
請求項７に記載の情報処理装置は、前記第２の判別手段は、前記第１の判別手段により、前記映像または音声情報が、前記ＣＭの映像または音声情報の先頭部分の一部と同一であると判定された場合（例えば、図７のステップＳ２３でＹＥＳの場合）に、前記映像または音声情報が、前記ＣＭの映像または音声情報の先頭部分の前記一部以外の残りの部分と同一であるかどうかを判別し、前記第３の判別手段は、前記第２の判別手段により、前記映像または音声情報が、前記ＣＭの映像または音声情報の先頭部分の前記一部以外の残りの部分と同一であると判定された場合（例えば、図７のステップＳ２７でＹＥＳの場合）に、前記映像または音声情報が、前記ＣＭの映像または音声情報の前記先頭部分に続く後続部分と同一であるかどうかを判別することを特徴とする。
【００３５】
請求項８に記載の情報処理装置は、前記記録媒体は、２以上の記録媒体で構成され、前記２以上の記録媒体のうちの１の記録媒体（例えば、ハードディスク）には、前記映像または音声情報のうちのＣＭの映像または音声情報が記録され、他の１の記録媒体（例えば、ＤＶＤ）には、ＣＭ以外の映像または音声情報が記録されることを特徴とする。
【００３６】
請求項９に記載の情報処理方法、請求項１０に記載の記録媒体、および請求項１１に記載のプログラムは、映像または音声情報（例えば、図１の入力信号）と、所定の記録媒体（例えば、図１のドライブ６のハードディスク）に記録されているＣＭの映像または音声情報との同一性を検出する情報同一性検出ステップ（例えば、図７のステップＳ２３）と、前記情報同一性検出ステップの処理による前記同一性の検出結果に基づいて、前記映像または音声情報がＣＭであるか否かを判定する判定ステップ（例えば、図６のステップＳ３）とを含み、前記情報同一性検出ステップは、前記映像または音声情報が、前記ＣＭの映像または音声情報の先頭部分の一部と同一であるかどうかを判別する第１の判別ステップ（例えば、図７のステップＳ２３）と、前記映像または音声情報が、前記ＣＭの映像または音声情報の先頭部分の前記一部以外の残りの部分と同一であるかどうかを判別する第２の判別ステップ（例えば、図７のステップＳ２７）と、前記映像または音声情報が、前記ＣＭの映像または音声情報の前記先頭部分に続く後続部分と同一であるかどうかを判別する第３の判別ステップ（例えば、図７のステップＳ３０）とを有することを特徴とする。
【００３７】
図１は、本発明を適用した記録再生装置１の構成例を示すブロック図である。
【００３８】
放送信号受信部２は、アンテナ（図示せず）やチューナ（図示せず）などで構成され、例えば、地上波のテレビジョン放送などの電波を受信し、その受信した信号を受信信号処理部３に供給する。また、放送信号受信部２は、外部入力の端子（図示せず）を備え、その端子から他の記録再生装置などの外部から供給される信号を入力することができる。外部から入力された信号は、受信した信号と同様に、受信信号処理部３に供給される。なお、この実施の形態では、記録再生装置１に対して、ＡＶ情報が入力信号として入力されるものとする。
【００３９】
受信信号処理部３は、放送信号受信部２から供給された入力信号をディジタル信号に変換し、ＭＰＥＧ（Ｍｏｖｉｎｇ  Ｐｉｃｔｕｒｅ  Ｅｘｐｅｒｔｓ  Ｇｒｏｕｐ）方式によりデータ圧縮し（エンコードし）、ストリーム多重化処理を施し、動画像ファイル（ストリームファイル）を生成し、その動画像ファイルをシステム制御部４と情報同一性検出部５に供給する。
【００４０】
システム制御部４は、操作処理部８から供給される視聴者（ユーザ）の操作に対応する動作指令に基づいて、ドライブ６に対するＡＶ情報の記録（書き込み）、または再生（読み出し）を制御する。即ち、システム制御部４は、ユーザの操作により操作処理部８から入力信号の記録の動作指令が供給された場合、例えば、ハードディスク、またはＤＶＤ（Ｄｉｇｉｔａｌ  Ｖｅｒｓａｔｉｌｅ  Ｄｉｓｋ）などの記録媒体を有するドライブ６を制御し、受信信号処理部３から供給される動画像ファイル（ＡＶ情報）を、ドライブ６の記録媒体に記録する（書き込む）。
【００４１】
また、操作処理部８からシステム制御部４に対して、ドライブ６の記録媒体に記録されている所定の放送番組（の動画像ファイル）の再生の動作指令が供給された場合、システム制御部４は、ドライブ６を制御して、記録媒体に記録されている所定の放送番組を読み出し、再生信号処理部７に供給する（再生する）。
【００４２】
さらに、システム制御部４は、現在時刻を認識するためのタイマを内蔵しており、視聴者が操作処理部８で指定した放送番組の予約操作などに従って、所定の時刻に放送番組の予約録画（記録）等を行う。
【００４３】
情報同一性検出部５は、システム制御部４による制御の下、受信信号処理部３から供給されるＡＶ情報と、ドライブ６の記録媒体に記録されたＡＶ情報との同一性を検出し、その検出結果をシステム制御部４に供給する。
【００４４】
ドライブ６は、例えば、ハードディスク、またはＤＶＤなどで構成することができる。なお、この実施の形態では、ドライブ６は、ハードディスクを内蔵するドライブであるものとして説明する。ドライブ６には、以前に放送されたＣＭ（コマーシャルメッセージ）のＡＶ情報（動画像ファイル）と、そのＣＭが放送された日時等の付加情報（付加情報ファイル）のそれぞれが、初期データとして記録されている（保存されている）。また、後述するＣＭスキップモードが視聴者により選択された場合、ドライブ６には、放送番組の主番組のＡＶ情報（動画像ファイル）と、ＣＭ部分のＡＶ情報（動画像ファイル）がディレクトリで分けられて記録（保存）される。なお、ドライブ６には、通常のように、ＣＭが主番組の間に含まれている番組（の動画像ファイル）をそのままの状態で記録することも可能である。なお、初期データの作成方法および主番組のＡＶ情報とＣＭ部分のＡＶ情報がドライブ６のハードディスクに記録されるデータの構造については後述する。
【００４５】
再生信号処理部７は、システム制御部４から供給されるＡＶ情報（動画像ファイル）を、例えば、ＭＰＥＧ方式等でデコードし、さらに、ＮＴＳＣまたはＰＡＬ方式などの画像データに変換して、出力信号として外部のテレビジョン受像機（図示せず）、モニタ（図示せず）などの表示装置に出力する。
【００４６】
以上のように構成される図１の記録再生装置１では、入力信号であるＡＶ情報をＣＭ部分のＡＶ情報も含めた状態（ＡＶ情報）で、ドライブ６のハードディスクに記録したり、ハードディスクに記録されたＣＭ部分のＡＶ情報を含む信号を、そのまま再生したりすることができる。
【００４７】
さらに、図１の記録再生装置１は、ＡＶ情報のうち、ＣＭ部分のＡＶ情報をスキップ（削除）して、記録または再生する機能（以下、ＣＭスキップモードと称する）を有しており、視聴者は、ＣＭスキップモードを、例えば、操作ボタン（図示せず）を操作することにより操作処理部８に指示し、その機能を利用することができる。
【００４８】
ＣＭスキップモードが視聴者により指定され、ＣＭスキップモードであることの指令が操作処理部８からシステム制御部４に供給された場合、システム制御部４は、ドライブ６を制御して、ドライブ６のハードディスクに記録されているＣＭのＡＶ情報の動画像ファイルの先頭部分（例えば、最初の１秒間）と付加情報ファイルを、情報同一性検出部５にコピーする（ドライブ６のハードディスクから読み出し、情報同一性検出部５に供給させる）。
【００４９】
そして、ＣＭスキップモードで、入力信号であるＡＶ情報をドライブ６に記録する場合には、システム制御部４は、情報同一性検出部５に放送番組のＣＭ部分の検出を指令するＣＭ部分検出指令を出力し、そのＣＭ部分検出指令に応じて、情報同一性検出部５が出力するＣＭ部分検出結果に基づき、受信信号処理部３から供給されるＡＶ情報（動画像ファイル）のドライブ６への記録を制御する。即ち、システム制御部４は、入力信号であるＡＶ情報のＣＭ部分が検出されたことを情報同一性検出部５から取得すると、そのＡＶ情報からＣＭ部分を削除し、残りのＡＶ情報（主番組のＡＶ情報）を、ドライブ６に記録させる。同時に、システム制御部４は、ＣＭ部分が検出された日時などの付加情報を、ドライブ６に記録されているそのＣＭのＡＶ情報の付加情報ファイルに追加するようにすることもできる。なお、付加情報ファイルの詳細については、後述する。
【００５０】
一方、ＣＭスキップモードで、ドライブ６に記録されている動画像ファイルから外部の表示装置に出力する（再生する）場合には、システム制御部４は、ドライブ６に記録されたＡＶ情報（動画像ファイル）を、情報同一性検出部５と自分自身（システム制御部４）に供給させる。また、システム制御部４は、情報同一性検出部５にＣＭ部分検出指令を出力し、情報同一性検出部５が供給するＣＭ部分検出結果に基づいて、ドライブ６から読み出したＡＶ情報（動画像ファイル）のＣＭ部分をスキップ（削除）して再生信号処理部７に出力する。なお、すでにＣＭ部分が削除された主番組がドライブ６に記録されている場合には、システム制御部４は、その主番組（のＡＶ情報）をドライブ６からそのまま読み出し、再生信号処理部７に出力する（再生する）こともできる。
【００５１】
なお、システム制御部４には、情報同一性検出部５に供給されるのと同じタイミングで、記録または再生のための動画像ファイルが、受信信号処理部３またはドライブ６から供給されるが、システム制御部４は、情報同一性検出部５のＣＭ部分検出結果に従って、ＣＭ部分のスキップ（削除）を行うため、例えば、動画像ファイルを一時的に保存（記憶）するバッファメモリ（図示せず）を内部に有し、入力された動画像ファイルを一時的にバッファメモリに格納し、情報同一性検出部５のＣＭ部分検出結果に従って、バッファメモリに格納した動画像ファイルの主番組を記録（再生）したり、ＣＭ部分をスキップ（削除）する。
【００５２】
情報同一性検出部５は、システム制御部４の制御の下でドライブ６から供給されるＣＭ部分の動画像ファイルの先頭部分と付加情報ファイルを、内蔵するメモリ（図示せず）に一時記憶する。また、情報同一性検出部５は、ＡＶ情報の記録時に、システム制御部４からＣＭ部分検出指令が供給された場合、受信信号処理部３から供給されるＡＶ情報（動画像ファイル）と、内蔵するメモリに記憶されているＣＭ部分のＡＶ情報（動画像ファイル）との同一性を検出し、その検出結果をシステム制御部８に出力する。また、情報同一性検出部５は、ドライブ６に記録されたＡＶ情報の再生時に、システム制御部４からＣＭ部分検出指令が供給された場合、ドライブ６から供給されるＡＶ情報（動画像ファイル）と、内蔵するメモリに記憶されているＣＭ部分のＡＶ情報（動画像ファイル）との同一性を検出し、その検出結果をシステム制御部８に出力する。
【００５３】
ここで、図１で示した記録再生装置１の構成では、情報同一性検出部５は、システム制御部４と分離して設けられているが、情報同一性検出部５は、システム制御部４の一部として、システム制御部４の内部に設けるようにしても良い。
【００５４】
図２は、ドライブ６に記録されたＡＶ情報とＣＭの初期データのデータ構造の一例を示している。
【００５５】
ドライブ６のハードディスクでは、図２に示されるような、例えば、パーソナルコンピュータ等で利用されるときと同様の階層ディレクトリ構造が採用される。即ち、ハードディスクの最上位階層にルートディレクトリ２１が設けられ、ルートディレクトリ２１のサブディレクトリとして、ＣＭスキップモードによってＣＭ部分が削除された入力信号の主番組のＡＶ情報のみが記録されるディレクトリである番組情報ディレクトリ２２や、初期データとしてのＣＭのＡＶ情報および付加情報が記録されるディレクトリであるＣＭ情報ディレクトリ２３などが設けられている。
【００５６】
番組情報ディレクトリ２２には、ＣＭスキップモードによりＣＭ部分が削除された１番組のＡＶ情報が１つの動画像ファイルとして保存される。図２では、番組情報ディレクトリ２２には、番組１の動画像ファイル３１、番組２の動画像ファイル３２などが保存されている。なお、番組情報ディレクトリ２２には、ＣＭ部分を含むＡＶ情報の動画像ファイルを保存することも可能である。
【００５７】
一方、ＣＭ情報ディレクトリ２３には、１つのＣＭごとに、そのＣＭの動画像ファイルと付加情報ファイルが１つずつ保存される。図２では、ＣＭ情報ディレクトリ２３には、ＣＭ１について、ＣＭ１の動画像ファイル４１および付加情報ファイル４２、ＣＭ２について、ＣＭ２の動画像ファイル４３および付加情報ファイル４４、ＣＭ３について、ＣＭ３の動画像ファイル４５および付加情報ファイル４６などが保存されている。
【００５８】
なお、ここでは、ＣＭ情報ディレクトリ２３に保存されているファイルは、上述したように、初期データとして、予め保存されている（設定されている）ものとしたが、後述する初期データの取得方法により、記録再生装置１自身が作成または更新することも可能である。
【００５９】
また、ＣＭ部分を含んだままの番組のＡＶ情報は、番組情報ディレクトリ２２に保存する他、例えば、ルートディレクトリ２１の下に新たなディレクトリを設け、そのディレクトリ内に、例えば、１番組につき１つのファイルとして保存するようにすることができる。
【００６０】
図２に示すデータの構造は、一例であり、それぞれの主番組およびＣＭについて、動画像ファイルおよび付加情報ファイルが一意に検索（取得）可能であれば、その他の構造とすることも可能である。例えば、１番組について１つのディレクトリを番組情報ディレクトリ２２の下に設け、主番組の動画像ファイルをいくつかの動画像ファイルに分けて保存してもよい。
【００６１】
図３は、図２のＣＭ情報ディレクトリ２３に保存される、１ＣＭについての付加情報ファイルに記録されている情報を示しており、例えば、ＣＭ１の付加情報ファイル４２の内容を示している。
【００６２】
付加情報ファイル４２には、図３に示されるように、例えば、ＣＭ１が過去に放送された日、曜日、開始時刻、および終了時刻などが記録されている。
【００６３】
従って、図３の付加情報ファイル４２によれば、ＣＭ１は、過去に、２００３年３月５日水曜日の２２時５４分００秒乃至５５分００秒の１分間、２００３年３月６日木曜日の２２時５４分００秒乃至５５分００秒の１分間、２００３年３月１２日水曜日の２２時５４分００秒乃至５５分００秒の１分間、２００３年３月１３日木曜日の２２時５４分００秒乃至５５分００秒の１分間、２００３年３月１９日水曜日の２２時５４分００秒乃至５５分００秒の１分間、および２００３年３月２０日木曜日の２２時５４分００秒乃至５５分００秒の１分間に放送されたことを認識することができる。
【００６４】
また、図３の付加情報ファイル４２からは、ＣＭ１は、水曜日または木曜日の２３時頃に放送される確率が高いことを予想することができる。
【００６５】
図４は、ある番組１の放送信号が入力信号として記録再生装置１に入力された場合に、ＣＭスキップモードの処理によりドライブ６に記録される動画像ファイルを説明する図である。
【００６６】
図４Ａは、記録再生装置１に入力される入力信号である番組１の放送信号の動画像ファイルを示している。放送開始時刻からＴ１時間は、番組１の主番組１−１が記録再生装置１に入力され、その後のＴ２時間は、ＣＭ１が記録再生装置１に入力され、その後のＴ３時間は、ＣＭ２が記録再生装置１に入力され、その後のＴ４時間は、番組１の主番組１−２が入力される。
【００６７】
このとき、ＣＭスキップモードにより、図４Ａの番組１の放送信号が、図４Ｂに示されるような、ＣＭ１とＣＭ２が削除された番組１−１と番組１−２で構成される番組１の動画像ファイル３１と、図４Ｃに示されるような、ＣＭ１の動画像ファイル４１と、図４Ｄに示されるような、ＣＭ２の動画像ファイル４３に分離される。そして、番組１の動画像ファイル３１、ＣＭ１の動画像ファイル４１、およびＣＭ２の動画像ファイル４３は、ドライブ６の、図２で上述したような所定のディレクトリに記録される。また、ＣＭ１とＣＭ２については、システム制御部４は、図３に示したような、ＣＭ１とＣＭ２の付加情報を、その内蔵するタイマによって計時される時間に基づいて生成し、ＣＭ１とＣＭ２それぞれの付加情報ファイルに追加する。
【００６８】
図５は、情報同一性検出部５の機能的な構成を示すブロック図である。
【００６９】
情報同一性検出部５は、一致ＣＭ判別部６１、先頭部分同一性判別部６２、および後続部分同一性判別部６３で構成される。そして、上述したように、記録再生装置１がＣＭスキップモードである場合、情報同一性検出部５のメモリには、ドライブ６から供給されるＣＭの動画像ファイルの先頭部分と付加情報ファイルが一時的に記憶され、一致ＣＭ判別部６１、先頭部分同一性判別部６２、および後続部分同一性判別部６３のそれぞれは、メモリに記憶されたＣＭの動画像ファイルを必要に応じて参照しながら処理を行う。
【００７０】
一致ＣＭ判別部６１は、システム制御部４からＣＭ部分検出指令が入力されたとき、メモリに動画像ファイルが保存されている全てのＣＭについて、入力されている放送番組の動画像ファイルのＡＶ情報が、メモリに保存されているＣＭ（の動画像ファイル）の先頭部分の一部（例えば、先頭の１フレーム）と同一であるかどうかを判別する。そして、一致ＣＭ判別部６１は、その判別結果をシステム制御部４に通知する（供給する）。
【００７１】
さらに、入力されている放送番組の動画像ファイルが、ＣＭの先頭部分の一部と一致した場合、一致ＣＭ判別部６１は、その一致したＣＭを特定するＣＭ特定情報を先頭部分同一性判別部６２に供給する。
【００７２】
一致ＣＭ判別部６１から先頭部分同一性判別部６２にＣＭの先頭部分の一部が一致しているＣＭのＣＭ特定情報が供給されると、先頭部分同一性判別部６２は、メモリに記憶されている、その供給されたＣＭ特定情報によって特定されるＣＭの先頭部分のまだ判別していない残りの部分（例えば、最初の１フレームを除く１秒間）について、続いて入力される放送番組の動画像ファイルのＡＶ情報と同一であるかどうかを判別し、その判別結果をシステム制御部４に通知する（供給する）。
【００７３】
また、先頭部分同一性判別部６２は、一致ＣＭ判別部６１からＣＭ特定情報が供給されたＣＭの先頭部分の一部が一致しているＣＭについて、ドライブ６に保存されている、そのＣＭの後続部分の動画像ファイルの読み込み（メモリへの書き込み）を開始する。
【００７４】
先頭部分同一性判別部６２が判別したＣＭの先頭部分の残りの部分についても、入力されている放送番組の動画像ファイルと同一であると判定された場合、先頭部分同一性判別部６２は、その一致したＣＭのＣＭ特定情報を後続部分同一性判別部６３に供給する。
【００７５】
一方、ＣＭの先頭部分の残りの部分と、入力されている放送番組の動画像ファイルとが不一致である場合、先頭部分同一性判別部６２は、そのＣＭの後続部分の読み込みを行わずに、不一致の発生をシステム制御部４に通知する。
【００７６】
後続部分同一性判別部６３は、先頭部分同一性判別部６２からＣＭ特定情報が供給されたＣＭについて、さらに続けて入力される放送番組の動画像ファイルが、先頭部分同一性判別部６２によりメモリに書き込まれたＣＭの後続部分と同一であるかどうかを順次判別する。
【００７７】
なお、ＣＭスキップモードでドライブ６に記録された放送番組のＡＶ情報を再生する場合には、情報同一性検出部５は、入力される放送番組の動画像ファイルに代えて、ドライブ６から供給される放送番組の動画像ファイルと、メモリに記憶されたＣＭの動画像ファイルとを判別する。
【００７８】
次に、ＣＭスキップモードで入力信号の録画（記録）が視聴者により指示された場合の、システム制御部４の動作について説明する。
【００７９】
ここで、予め、視聴者（ユーザ）により、ＣＭスキップモードが指定され、その指令が操作処理部８からシステム制御部４に供給されたとき、システム制御部４は、ドライブ６を制御して、ドライブ６に記録されているＣＭの動画像ファイルの先頭部分（例えば、最初の１秒間）と付加情報ファイルを、情報同一性検出部５（のメモリ）にコピーする（ドライブ６から読み出し、情報同一性検出部５に供給させる）。
【００８０】
情報同一性検出部５のメモリに記憶されるＡＶ情報の動画像ファイルは、ディジタル圧縮された状態および伸張された状態のどちらでもよく、ディジタル圧縮された状態で記憶されている場合には、後述する入力信号との同一性の判別時に、動画像ファイルが伸張され、入力信号と比較される（判別される）。
【００８１】
ユーザが、入力された放送番組の信号（放送信号）をドライブ６に録画（記録）する指令を行い、その指令が操作処理部８からシステム制御部４に供給されると、システム制御部４は、入力信号の録画を開始するとともに、図６に示すＣＭ部分スキップ処理を開始する。
【００８２】
そこで、図６のフローチャートを参照して、システム制御部４の入力信号の録画におけるＣＭ部分スキップ処理について説明する。
【００８３】
初めに、ステップＳ１において、システム制御部４は、情報同一性検出部５にＣＭ部分検出開始の指令を出力して、ステップＳ２に進む。また、このとき、システム制御部４は、現在時刻も情報同一性検出部５に供給する。
【００８４】
ここで、情報同一性検出部５は、システム制御部４からＣＭ部分検出開始の指令を受信することにより、後述するＣＭ部分検出処理を開始する。
【００８５】
ステップＳ２において、システム制御部４は、情報同一性検出部５が行うＣＭ部分検出処理によって得られるＣＭ部分検出結果を取得して、ステップＳ３に進む。なお、情報同一性検出部５が行うＣＭ部分検出処理については、図７を参照して後述する。
【００８６】
ステップＳ３において、システム制御部４は、ステップＳ２で取得したＣＭ部分検出結果に基づいて、入力信号がＣＭ部分であるか否かを判定する。入力信号がＣＭ部分でないと判定された場合、ステップＳ４に進み、システム制御部４は、入力信号をドライブ６のハードディスクに録画する。詳しくは、受信信号処理部３から供給される入力信号の動画像ファイルのＡＶ情報は、システム制御部４のバッファメモリに順次記憶されているが、システム制御部４は、そのバッファメモリに記憶された入力信号の動画像ファイルのＡＶ情報を、ドライブ６の図２で示した番組情報ディレクトリ２２の下に記録する。
【００８７】
一方、ステップＳ３において、入力信号がＣＭ部分であると判定された場合、ステップＳ５に進み、システム制御部４は、入力信号をドライブ６のハードディスクに録画することを一時的に停止する。詳しくは、受信信号処理部３から供給される入力信号の動画像ファイルのＡＶ情報はシステム制御部４のバッファメモリに順次記憶されているが、システム制御部４は、そのバッファメモリに記憶された入力信号の動画像ファイルのＡＶ情報をドライブ６のハードディスクに記録することを停止する。また、システム制御部４は、入力信号をドライブ６のハードディスクに録画することを停止するともに、検出したＣＭの付加情報をドライブ６にある付加情報ファイルに追加するようにすることもできる。
【００８８】
ステップＳ４またはＳ５の後は、ステップＳ６に進み、システム制御部４は、録画終了であるか否かを判定する。例えば、システム制御部４は、操作処理部８から録画終了の指令が供給された場合などに、録画終了であると判定する。
【００８９】
ステップＳ６において、録画終了ではないと判定された場合、システム制御部４は、ステップＳ２に処理を戻し、ステップＳ２乃至Ｓ６の処理を繰り返す。
【００９０】
一方、ステップＳ６において、録画終了であると判定された場合、ステップＳ７に進み、システム制御部４は、情報同一性検出部５にＣＭ部分検出終了の指令を出力して、処理を終わる。
【００９１】
ここで、情報同一性検出部５は、システム制御部４からＣＭ部分検出終了の指令を受信することにより、ＣＭ部分検出処理を終了する。
【００９２】
上述の図６のフローチャートは、記録再生装置１に入力された信号をドライブ６のハードディスクに記録（録画）する場合の例で説明したが、ドライブ６に記録されている放送番組のＣＭ部分をスキップして再生する（再生信号処理部７に供給する）場合や、ドライブ６に記録された放送番組のＣＭ部分を削除して、再度ドライブ６に記録する（ＣＭ削除の編集をする）場合などにおいても、図６のフローチャートと同様の処理が行われる。
【００９３】
即ち、ドライブ６に記録された放送番組のＣＭ部分をスキップして再生する場合には、ステップＳ３において、ドライブ６から読み出した放送信号がＣＭ部分でないと判定された場合、ステップＳ４で、システム制御部４は、読み出した放送信号を再生信号処理部７に供給する（再生する）。
【００９４】
一方、ステップＳ３において、ドライブ６から読み出した放送信号がＣＭ部分であると判定された場合、ステップＳ５で、システム制御部４は、読み出した放送信号を再生信号処理部７に供給すること（再生）を一時的に停止する、または、スキップ（早送り）する。
【００９５】
また、ドライブ６に記録された放送番組のＣＭ部分を削除して再度ドライブ６に記録する（ＣＭ削除の編集をする）場合には、ステップＳ３において、ドライブ６から読み出した放送信号がＣＭ部分でないと判定された場合、ステップＳ４で、システム制御部４は、読み出した放送信号をドライブ６に記録する（書き込む）。
【００９６】
一方、ステップＳ３において、ドライブ６から読み出した放送信号がＣＭ部分であると判定された場合、ステップＳ５で、システム制御部４は、読み出した放送信号をドライブ６に記録する（書き込む）ことを一時的に停止する。
【００９７】
次に、図７のフローチャートを参照して、情報同一性検出部５のＣＭ部分検出処理について説明する。この処理は、図６のステップＳ１において、システム制御部４が情報同一性検出部５に現在時刻とともに、ＣＭ部分検出開始の指令を出力したときに開始される。なお、図６のフローチャートと同様に、入力信号をドライブ６に記録する場合を例に、図７のＣＭ部分検出処理を説明する。
【００９８】
初めに、ステップＳ２１において、情報同一性検出部５は、システム制御部４からＣＭ部分検出終了の指令が供給されたか否かを判定する。ＣＭ部分検出終了の指令が供給されたと判定された場合、情報同一性検出部５は、処理を終了する。
【００９９】
一方、ステップＳ２１において、ＣＭ部分検出終了の指令が供給されていないと判定された場合、ステップＳ２２に進み、情報同一性検出部５の一致ＣＭ判別部６１は、ＣＭスキップモードの開始とともにドライブ６から供給されて情報同一性検出部５のメモリに記憶されているＣＭの先頭部分の一部（例えば、１フレーム）と、入力信号である放送番組の動画像ファイルとを比較して、ステップＳ２３に進む。ここで、一致ＣＭ判別部６１は、ドライブ６から供給された全てのＣＭのうち、ＣＭの付加情報を参考に、出現する可能性（同一である可能性）が高いものから判別を行う。例えば、一致ＣＭ判別部６１は、現在時刻に近い時間帯に過去に多く放送されているＣＭから判別を行う。
【０１００】
ステップＳ２３では、一致ＣＭ判別部６１は、ステップＳ２２の比較結果に基づいて、入力信号とＣＭの先頭部分の一部との同一性を判別する。
【０１０１】
ステップＳ２３において、一致ＣＭ判別部６１は、入力信号とＣＭの先頭部分の一部（例えば、１フレーム）とが同一ではないと判定した場合、ステップＳ２１に処理を戻す。
【０１０２】
一方、ステップＳ２３において、一致ＣＭ判別部６１は、入力信号とＣＭの先頭部分の一部とが同一であると判定した場合、ステップＳ２４に進み、システム制御部４に一致の発生を通知する。また、一致ＣＭ判別部６１は、その一致したＣＭのＣＭ特定情報を先頭部分同一性判別部６２に供給して、ステップＳ２５に進む。
【０１０３】
ステップＳ２５において、先頭部分同一性判別部６２は、メモリに記憶されている、一致ＣＭ判別部６１から供給されたＣＭ特定情報によって特定されるＣＭの先頭部分のまだ判別していない残りの部分（例えば、最初の１フレームを除く１秒間）と入力信号とを比較して、ステップＳ２６に進む。
【０１０４】
ステップＳ２６において、先頭部分同一性判別部６２は、一致ＣＭ判別部６１から供給されたＣＭ特定情報によって特定されるＣＭの先頭部分の一部が一致しているＣＭについて、ドライブ６に保存されている、そのＣＭの後続部分の動画像ファイルの読み込み（メモリへの書き込み）を開始して、ステップＳ２７に進む。
【０１０５】
ステップＳ２７では、先頭部分同一性判別部６２は、ステップＳ２５の比較結果に基づいて、一致ＣＭ判別部６１から供給されたＣＭ特定情報によって特定されるＣＭの先頭部分のまだ判別していない残りの部分（例えば、最初の１フレームを除く１秒間）と入力信号との同一性を判別する。
【０１０６】
ステップＳ２７において、先頭部分同一性判別部６２は、ＣＭの先頭部分の残りの部分と入力信号とが一致しないと判定した場合、ステップＳ２８に進み、不一致の発生をシステム制御部４に通知し、ステップＳ２６で開始したＣＭの後続部分の動画像ファイルの読み込みを停止する。そして、ステップＳ２１に戻る。
【０１０７】
一方、ステップＳ２７において、先頭部分同一性判別部６２は、ＣＭの先頭部分の残りの部分と入力信号とが一致すると判定した場合、その一致したＣＭのＣＭ特定情報を後続部分同一性判別部６３に供給して、ステップＳ２９に進む。
【０１０８】
ステップＳ２９において、後続部分同一性判別部６３は、ステップＳ２６でドライブ６からメモリに読み込みを開始したＣＭの後続部分と入力信号とを比較して、ステップＳ３０に進む。
【０１０９】
ステップＳ３０では、後続部分同一性判別部６３は、ステップＳ２９の比較結果に基づいて、ＣＭの後続部分と入力信号との同一性を判別する。
【０１１０】
ステップＳ３０において、後続部分同一性判別部６３は、ＣＭの後続部分と入力信号とが一致しないと判定した場合、ステップＳ３１に進み、不一致の発生をシステム制御部４に通知して、ステップＳ２１に戻る。
【０１１１】
一方、ステップＳ３０において、後続部分同一性判別部６３は、ＣＭの後続部分と入力信号とが一致すると判定した場合、処理をステップＳ３２に進める。
【０１１２】
ステップＳ３２において、後続部分同一性判別部６３は、ＣＭの後続部分の一致をシステム制御部４に通知して、ステップＳ２１に処理を戻す。そして、それ以降の処理が繰り返される。
【０１１３】
上述のステップＳ２４，Ｓ２８，Ｓ３１およびＳ３２の処理において、情報同一性検出部５がシステム制御部４に通知する入力信号とＣＭの画像ファイルとの一致または不一致の情報が、図６のステップＳ２において、システム制御部４によりＣＭ部分検出結果として取得される。
【０１１４】
上述のステップＳ２４において、一致ＣＭ判別部６１が、システム制御部４に一致の発生を通知するときに、例えば、メモリに記録されている付加情報から一致したＣＭが放送される時間の長さも通知するようにして、システム制御部４は、そのＣＭの時間が経過するまでに不一致の通知（ＣＭ部分検出結果）を取得しなければ、ＣＭ部分の区間の終了と認識するようにしてもよい。
【０１１５】
なお、ドライブ６に記録された放送番組のＣＭ部分をスキップして再生する場合や、ドライブ６に記録された放送番組のＣＭ部分を削除して再度ドライブ６に記録する（ＣＭ削除の編集をする）場合についても、情報同一性検出部５に入力される信号（ＣＭ部分を含んだ動画像ファイル）が、受信信号処理部３から供給されるか、ドライブ６から供給されるかだけの違いであり、図７と同様の処理が行われる。
【０１１６】
以上のように、図１の記録再生装置１では、情報同一性検出部５が、ドライブ６に保存された以前のＣＭ情報に基づいて入力信号がＣＭ部分であるかどうかを判別するので、入力信号のＣＭ部分をより確実に検出することができる。
【０１１７】
上述した実施の形態において、情報同一性検出部５のメモリが、ドライブ６から供給される、ＣＭ情報ディレクトリ２３の各ＣＭの動画像ファイルの先頭部分と付加情報ファイルを、全てのＣＭについて記憶するだけの容量を有してない場合には、付加情報ファイルの時刻情報を基に、出現の可能性の高いＣＭの順に各ＣＭの動画像ファイルの先頭部分と付加情報ファイルを記憶するようにし、出現の可能性の低いものは破棄するようにしてもよい。
【０１１８】
さらに、出現の可能性の高いＣＭは、時刻によって変わり得るため、情報同一性検出部５のメモリに記憶される情報は、定期的または不定期に更新することが望ましい。
【０１１９】
また、図１の記録再生装置１に入力される放送信号は、アナログ放送に限らず、例えば、ＣＳ（Ｃｏｍｍｕｎｉｃａｔｉｏｎｓ  Ｓａｔｅｌｌｉｔｅ）ディジタル放送などのディジタル信号とすることも可能である。その場合には、上述した受信信号処理部３におけるＡ／Ｄ変換の処理などが省略される。
【０１２０】
また、動画像ファイルを記録させる記録媒体は、ハードディスクやＤＶＤなどの１の記録媒体に限らず、２以上の記録媒体でもよく、さらに、２以上の記録媒体は、同一種類であっても、異なる種類であってもよい。例えば、ドライブ６に、ハードディスクとＤＶＤの両方を内蔵させ、図２に示した番組情報ディレクトリ２２の各主番組の動画像ファイルは、ＤＶＤに記録し、ＣＭ情報ディレクトリ２３の各ＣＭの動画像ファイルと付加情報ファイルは、ハードディスクに記録するようにすることが可能である。なお、ドライブ６で駆動する記録媒体は、ドライブ６に内蔵してもよいし、ドライブ６に対して着脱可能なものであってもよい。
【０１２１】
さらに、各主番組の動画像ファイルが記録される記録媒体は、ランダムアクセス可能な記録媒体に限らず、ビデオテープなどであってもよい。
【０１２２】
ところで、ドライブ６には、図２に示したようなＣＭ情報ディレクトリ２３の下に、以前に放送されたＣＭのＡＶ情報（動画像ファイル）と、そのＣＭが放送された日時等の付加情報（付加情報ファイル）のそれぞれが、予め初期データとして記録されている（保存されている）。
【０１２３】
そこで、この初期データの収集（取得）方法について説明する。初期データは、例えば、ＣＭ情報提供業者などの第三者機関により、ＣＭ情報であることが保証される情報を記録再生装置１の外部入力の端子を介して、あるいは、ドライブ６にインターネットなどのネットワークを接続して供給することにより、ドライブ６に記録することができる。
【０１２４】
また、例えば、放送信号の無音声部分を検出したり、モノラル方式およびステレオ方式の音声信号の方式の差違を検出する方法などにより、記録再生装置１に入力される放送信号を基に、記録再生装置１が初期データ（ＣＭのＡＶ情報とそのＣＭが放送された日時等の付加情報のファイル）を生成するようにすることもできる。
【０１２５】
そして、その生成したＣＭ情報のデータや過去に放送された番組を、視聴者（ユーザ）が、記録再生装置１を操作し、外部の表示装置に出力、表示（再生）させて確認し、ＣＭ情報を編集したり、ＣＭ情報を作成することができる。この場合、記録再生装置１に保存される初期データとしてのＣＭ情報の信頼性を向上させることもできる。
【０１２６】
上述したＣＭ情報の初期データの取得方法、または、その他の方法の、少なくとも１つの方法によって、放送番組のＣＭ部分の一致性を判別するためのＣＭ情報を初期データとして、記録再生装置１の記録媒体に記録しておくことができる。従って、記録再生装置１は、ドライブ６に記録された正確なＣＭ情報をもとに、入力信号がいまＣＭ部分であるかどうかを判別するので、本来ＣＭ部分である箇所をＣＭ部分ではないと誤認したり、本来ＣＭ部分ではない箇所をＣＭ部分であると誤認する可能性を極めて少なくすることができる。
【０１２７】
ところで、上述の記録再生装置１では、以前に放送されたＣＭ情報を、図２で説明したように、ドライブ６に保存しておくことになるので、そのために、ドライブ６の記録領域を使用してしまうという懸念が生じる。
【０１２８】
しかし、ドライブ６に保存しておくＣＭ情報は、視聴を目的としたＡＶ情報ではないため、視聴と同程度の品質である必要はなく、例えば、圧縮率を高くすることにより、保存するために必要な領域を最小限に抑えることができる。ＣＭ情報を記録するときの圧縮率を高くした場合でも、ＡＶ情報の同一性判定の精度に対する悪影響は少ない。
【０１２９】
また、記録再生装置１が、入力信号を基にＣＭ情報のデータを作成する場合などにおいて、視聴者が同一番組を視聴する場合、同一番組で放送されるＣＭは、過去にその番組で放送されたＣＭと同一のものが多いと考えられるため、必要なＣＭ情報は少なくなる。
【０１３０】
他に、例えば、それぞれのＣＭの付加情報ファイルに、ＣＭ部分検出処理により一致するＣＭとして検出された回数の情報を履歴として記録するようにして、ＣＭ情報の記録容量が予め設定された規定量を超えた場合、検出回数の履歴を参照し、過去の一致度の低いＣＭ情報から順に削除するようにすることもできる。
【０１３１】
あるいは、ＣＭの付加情報ファイルの時刻情報を基に、視聴者が過去に記録または再生を指定した番組の時間帯以外にのみ放送されるようなＣＭ情報から順に削除するようにしてもよい。
【０１３２】
以上のように、図２のＣＭ情報ディレクトリ２３の記録（保存）に必要な容量は、番組情報ディレクトリ２２の容量に比べて極めて少ない容量とすることが可能である。
【０１３３】
従って、放送番組のＡＶ情報は、ＣＭを削除した内容で保存することができ、放送番組のＣＭ部分の一致性を判別するためのＣＭ情報は、極めて少ない容量で保存することができるので、放送番組を記録する記録領域を効率良く利用することができる。
【０１３４】
そして、記録または再生される放送番組は、ＣＭ部分が削除されたものであるので、視聴者は、快適にその放送番組を視聴することができる。
【０１３５】
上述した一連の処理は、ハードウエアにより実行させることもできるし、ソフトウエアにより実行させることもできる。この場合、例えば、図１の記録再生装置１は、図８に示されるようなパーソナルコンピュータにより構成されるようにすることができる。
【０１３６】
図８において、ＣＰＵ（Ｃｅｎｔｒａｌ  Ｐｒｏｃｅｓｓｉｎｇ  Ｕｎｉｔ）１０１は、ＲＯＭ（Ｒｅａｄ  Ｏｎｌｙ  Ｍｅｍｏｒｙ）１０２に記憶されているプログラム、または記憶部１０８からＲＡＭ（Ｒａｎｄｏｍ  Ａｃｃｅｓｓ  Ｍｅｍｏｒｙ）１０３にロードされたプログラムに従って各種の処理を実行する。ＲＡＭ１０３にはまた、ＣＰＵ１０１が各種の処理を実行する上において必要なデータなども適宜記憶される。
【０１３７】
ＣＰＵ１０１、ＲＯＭ１０２、およびＲＡＭ１０３は、バス１０４を介して相互に接続されている。このバス１０４にはまた、入出力インタフェース１０５も接続されている。
【０１３８】
入出力インタフェース１０５には、キーボード、マウスなどよりなる入力部１０６、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  ｄｉｓｐｌａｙ）などよりなるディスプレイ、並びにスピーカなどよりなる出力部１０７、ハードディスクなどより構成される記憶部１０８、モデム、ターミナルアダプタなどより構成される通信部１０９が接続されている。通信部１０９は、インターネットなどのネットワークを介しての通信処理を行う。ＣＰＵ１０１は、例えば、図１のシステム制御部４、情報同一性検出部５などの処理を行う。また、記憶部１０８は、図１のドライブ６に相当する処理を行う。
【０１３９】
入出力インタフェース１０５にはまた、必要に応じてドライブ１１０が接続され、磁気ディスク１２１、光ディスク１２２、光磁気ディスク１２３、或いは半導体メモリ１２４などが適宜装着され、それらから読み出されたコンピュータプログラムが、必要に応じて記憶部１０８にインストールされる。
【０１４０】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１４１】
情報同一性検出部５は、入力信号とドライブ６の記録媒体に記録された信号との同一性の判別を、映像情報または音声情報の両方を用いて行ってもよいし、映像情報または音声情報のうちのどちらか一方だけを用いて行ってもよい。
【０１４２】
【発明の効果】
以上のごとく本発明によれば、放送信号のコマーシャルメッセージ部分をより確実に検出することができる。
【図面の簡単な説明】
【図１】本発明を適用した記録再生装置１の一実施の形態の構成例を示すブロック図である。
【図２】図１の記録再生装置１に記録される放送信号のデータ構造の一例を示す図である。
【図３】ＣＭの付加情報ファイルを説明する図である。
【図４】図１の記録再生装置１に記録される主番組とＣＭの動画像ファイルについて説明する図である。
【図５】情報同一性検出部５の機能的な構成例を示すブロック図である。
【図６】システム制御部４のＣＭ部分スキップ処理について説明するフローチャートである。
【図７】情報同一性検出部５のＣＭ部分検出処理について説明するフローチャートである。
【図８】本発明を適用したコンピュータの一実施の形態の構成例を示すブロック図である。
【符号の説明】
４  システム制御部，  ５  情報同一性検出部，  ６  ドライブ，  ６１  一致ＣＭ判別部，  ６２  先頭部分同一性判別部，  ６３  後続部分同一性判別部
【図１】
2004328306.tif 000003
【図２】
2004328306.tif 000004
【図３】
2004328306.tif 000005
【図４】
2004328306.tif 000006
【図５】
2004328306.tif 000007
【図６】
2004328306.tif 000008
【図７】
2004328306.tif 000009
【図８】
2004328306.tif 000010